【手続補正書】
【提出日】平成16年1月23日(2004.1.23)
【手続補正１】
【補正対象書類名】明細書
【補正対象項目名】特許請求の範囲
【補正方法】変更
【補正の内容】
【特許請求の範囲】
【請求項１】
表示ラインを担う複数の行電極と前記行電極に交叉して配列された複数の列電極との各交差部に画素を担う放電セルを形成しているプラズマディスプレイパネルと、入力映像信号における１フィールドの表示期間を複数のサブフィールドに分割して前記プラズマディスプレイパネルを階調駆動する駆動部と、を備えたプラズマディスプレイ装置であって、
前記駆動部は、
前記入力映像信号に対応した画素データに応じて前記放電セルの各々を発光セルの状態又は非発光セルの状態のいずれか一方に設定せしめるべき選択放電を生起させる走査パルスを発生して前記行電極の各々に順次印加する画素データ書込駆動手段と、
前記発光セルの状態にある前記放電セルのみを発光せしめる維持放電を繰り返し生起させるべき維持パルスを発生して前記行電極各々に印加する発光維持駆動手段と、
前記画素データに基づいて前記プラズマディスプレイパネルのインピーダンスを推測して推測インピーダンスを得るインピーダンス推測手段と、
前記推測インピーダンスに応じて前記走査パルス及び前記維持パルスのパルス幅を変更するパルス幅制御手段と、を有することを特徴とするプラズマディスプレイ装置。
【請求項２】
前記パルス幅制御手段は、前記推測インピーダンスが高インピーダンスである場合には前記推測インピーダンスが低インピーダンスである場合に比して前記走査パルス及び前記維持パルス各々のパルス幅を広くすることを特徴とする請求項１記載のプラズマディスプレイ装置。
【請求項３】
前記インピーダンス推測手段は、前記発光セルの状態にある前記放電セルの数を前記推測インピーダンスとすることを特徴とする請求項１記載のプラズマディスプレイ装置。
【請求項４】
前記パルス幅制御手段は、前記走査パルス及び前記維持パルス各々のパルス幅の変更を前記サブフィールド毎に行うことを特徴とする請求項１記載のプラズマディスプレイ装置。
【請求項５】
表示ラインを担う複数の行電極と前記行電極に交叉して配列された複数の列電極との各交差部に画素を担う放電セルを形成しているプラズマディスプレイパネルと、入力映像信号における１フィールドの表示期間を複数のサブフィールドに分割して前記プラズマディスプレイパネルを階調駆動する駆動部と、を備えたプラズマディスプレイ装置であって、
前記駆動部は、
前記入力映像信号に対応した画素データに応じて前記放電セルの各々を発光セルの状態又は非発光セルの状態のいずれか一方に設定せしめるべき選択放電を生起させる走査パルスを発生して前記行電極の各々に順次印加する画素データ書込駆動手段と、
前記発光セルの状態にある前記放電セルのみを発光せしめる維持放電を繰り返し生起させるべき維持パルスを発生して前記行電極各々に印加する発光維持駆動手段と、
前記画素データに基づいて前記表示ライン各々のラインインピーダンスを推測して前記表示ライン毎の推測ラインインピーダンスを得るインピーダンス推測手段と、
前記表示ライン毎の前記推測ラインインピーダンスに応じて前記走査パルスのパルス幅を前記表示ライン毎に変更すると共に、前記表示ライン毎の前記推測ラインインピーダンスに基づいて前記プラズマディスプレイパネルの全体的なパネルインピーダンスを求めこのパネルインピーダンスに応じて前記維持パルスのパルス幅を変更するパルス幅制御手段と、を有することを特徴とするプラズマディスプレイ装置。
【請求項６】
前記パルス幅制御手段は、前記推測ラインインピーダンスが高インピーダンスである場合には前記推測ラインインピーダンスが低インピーダンスである場合に比して前記走査パルスのパルス幅を広くすると共に、前記パネルインピーダンスが高インピーダンスである場合には前記パネルインピーダンスが低インピーダンスである場合に比して前記維持パルスのパルス幅を広くすることを特徴とする請求項５記載のプラズマディスプレイ装置。
【請求項７】
前記インピーダンス推測手段は、１つの表示ライン上における前記発光セルの状態にある前記放電セルの数を前記推測ラインインピーダンスとすることを特徴とする請求項５記載のプラズマディスプレイ装置。
【請求項８】
前記パルス幅制御手段は、前記走査パルス及び前記維持パルス各々のパルス幅の変更を前記サブフィールド毎に行うことを特徴とする請求項５記載のプラズマディスプレイ装置。
【請求項９】
表示ラインを担う複数の行電極と前記行電極に交叉して配列された複数の列電極との各交差部に画素を担う放電セルを形成しているプラズマディスプレイパネルと、入力映像信号における１フィールドの表示期間を複数のサブフィールドに分割して前記プラズマディスプレイパネルを階調駆動する駆動部と、を備えたプラズマディスプレイ装置であって、
前記駆動部は、
前記入力映像信号に対応した画素データに応じて前記放電セルの各々を発光セルの状態又は非発光セルの状態のいずれか一方に設定せしめるべき選択放電を生起させる走査パルスを発生して前記行電極の各々に順次印加する画素データ書込駆動手段と、
前記発光セルの状態にある前記放電セルのみを発光せしめる維持放電を繰り返し生起させるべき維持パルスを発生して前記行電極各々に印加する発光維持駆動手段と、
前記画素データに基づいて前記プラズマディスプレイパネルのインピーダンスを推測して推測インピーダンスを得るインピーダンス推測手段と、
前記推測インピーダンスに応じて前記走査パルス及び前記維持パルス各々のパルス電圧を変更するパルス電圧制御手段と、を有することを特徴とするプラズマディスプレイ装置。
【請求項１０】
前記パルス電圧制御手段は、前記推測インピーダンスが高インピーダンスである場合には前記推測インピーダンスが低インピーダンスである場合に比して前記走査パルス及び前記維持パルス各々のパルス電圧を高くすることを特徴とする請求項９記載のプラズマディスプレイ装置。
【請求項１１】
前記インピーダンス推測手段は、前記発光セルの状態にある前記放電セルの数を前記推測インピーダンスとすることを特徴とする請求項９記載のプラズマディスプレイ装置。
【請求項１２】
前記パルス電圧制御手段は、前記走査パルス及び前記維持パルス各々のパルス電圧の変更を前記１フィールド表示期間又は前記サブフィールド毎に行うことを特徴とする請求項９記載のプラズマディスプレイ装置。
【請求項１３】
表示ラインを担う複数の行電極と前記行電極に交叉して配列された複数の列電極との各交差部に画素を担う放電セルを形成しているプラズマディスプレイパネルと、入力映像信号における１フィールドの表示期間を複数のサブフィールドに分割して前記プラズマディスプレイパネルを階調駆動する駆動部と、を備えたプラズマディスプレイ装置であって、
前記駆動部は、
前記入力映像信号に対応した画素データに応じて前記放電セルの各々を発光セルの状態又は非発光セルの状態のいずれか一方に設定せしめるべき選択放電を生起させる走査パルスを発生して前記行電極の各々に順次印加する画素データ書込駆動手段と、
前記発光セルの状態にある前記放電セルのみを発光せしめる維持放電を繰り返し生起させるべき維持パルスを発生して前記行電極各々に印加する発光維持駆動手段と、
前記画素データに基づいて前記プラズマディスプレイパネルのインピーダンスを推測して推測インピーダンスを得るインピーダンス推測手段と、
前記推測インピーダンスに応じて前記維持パルスのパルス幅を変更するパルス幅制御手段と、を有することを特徴とするプラズマディスプレイ装置。
【請求項１４】
表示ラインを担う複数の行電極と前記行電極に交叉して配列された複数の列電極との各交差部に画素を担う放電セルを形成しているプラズマディスプレイパネルと、入力映像信号における１フィールドの表示期間を複数のサブフィールドに分割して前記プラズマディスプレイパネルを階調駆動する駆動部と、を備えたプラズマディスプレイ装置であって、
前記駆動部は、
前記入力映像信号に対応した画素データに応じて前記放電セルを発光させるべき駆動パルスを発生して前記行電極の各々に印加する駆動パルス生成手段と、
前記画素データに基づいて前記プラズマディスプレイパネルのインピーダンスを推測して推測インピーダンスを得るインピーダンス推測手段と、
前記推測インピーダンスに応じて前記駆動パルスのパルス幅を変更するパルス幅制御手段と、を有することを特徴とするプラズマディスプレイ装置。